(57)【特許請求の範囲】
【請求項１】
ベースと、同ベースの前面に装着され、上部に吸込グリルを備え、下部に表示窓を備えた前面パネルからなる本体の前面上部および、または上面に吸込口を設け、前面下部に吹出口を設け、これら吸込口と吹出口を結ぶ空気通路にドレンパンを下部に備えた熱交換器と送風ファンとを設け、前記表示窓に表示器を臨ませてなる空気調和機において、前記熱交換器の前面に、補助熱交換器を重設するとともに、同補助熱交換器の下部に、前記ドレンパンにドレン水を導く露受具を設け、同露受具の前面側に、前記表示器に設けられた係止部に係止される係止爪を設けたことを特徴とする空気調和機。
【請求項２】
前記露受具は、下端を前記熱交換器に向けて傾斜させた傾斜部と、同傾斜部の下端に連続形成され、前記熱交換器の前面に当接する当接部と、前記傾斜部の背面側に突設され、前記熱交換器の伝熱管に係止される一対の管用係止爪を備えた係止片とからなることを特徴とする請求項１に記載の空気調和機。
【請求項３】
前記表示器には、前記係止部に隣接してねじ孔が設けられ、同ねじ孔に対応する前記前面パネルには取付孔が設けられ、同取付孔を挿通したねじを前記ねじ孔に螺着することによって前記表示器を固定するようにしたことを特徴とする請求項１に記載の空気調和機。
【請求項４】
前記取付孔は、前記前面パネルに形成された凹部に設けられていることを特徴とする請求項３に記載の空気調和機。
【請求項５】
前記露受具には、その前面側にリード線を保持する保持部が設けられていることを特徴とする請求項１または請求項２に記載の空気調和機。
【請求項６】
前記係止片と前記係止爪と前記保持部とが、前記露受具と一体に形成されていることを特徴とする請求項１、請求項２または請求項５に記載の空気調和機。
【発明の詳細な説明】
【０００１】
【発明の属する技術分野】
本発明は、壁掛型の空気調和機に係わり、より詳細には、表示器を設けた熱交換器の前部に、本体の厚さ寸法を大幅に増すことなく補助熱交換器を付設できるようにした構造に関する。
【０００２】
【従来の技術】
従来の壁掛型の空気調和機は、例えば特開平１０ー１３２３２８号公報で開示されているような事例があった。
即ち、図４で示すように、利用側熱交換器7'、送風機等を収容する本体フレーム100 と、この本体フレーム100 の前面に取り付けられるキャビネットと、このキャビネットの前面に取り付けられる前面パネルと、制御情報を表示する液晶表示器51とを備えた壁掛型空気調和機において、前記液晶表示器51の両端にそれぞれ係止片を形成し、一方の係止片を係止する第一の保持具と他方の係止片を係止する第二の保持具とを前記本体フレーム100 に形成して、前記表示器51を、ドレンパンを兼ねる吹出し枠109 の前面に簡単に取り付けることができるようにしていた。
【０００３】
しかしながら、本体の厚さ寸法を大幅に増すことなく熱交換能力を向上させるために、例えば前記利用側熱交換器7'の前部に、前記液晶表示器51を配置するとともに、補助熱交換器を付設するようにした構成については開示されていなかった。
【０００４】
【発明が解決しようとする課題】
本発明においては、上記の問題点に鑑み、表示器を設けた熱交換器の前部に、本体の厚さ寸法を大幅に増すことなく補助熱交換器を付設できるようにした壁掛型の空気調和機を提供することを目的とする。
【０００５】
【課題を解決するための手段】
本発明は、上記問題を解決するため、ベースと、同ベースの前面に装着され、上部に吸込グリルを備え、下部に表示窓を備えた前面パネルからなる本体の前面上部および、または上面に吸込口を設け、前面下部に吹出口を設け、これら吸込口と吹出口を結ぶ空気通路にドレンパンを下部に備えた熱交換器と送風ファンとを設け、前記表示窓に表示器を臨ませてなる空気調和機において、前記熱交換器の前面に補助熱交換器を重設するとともに、同補助熱交換器の下部に前記ドレンパンにドレン水を導く露受具を設け、同露受具の前面側に前記表示器に設けられた係止部に係止される係止爪を設けた構成となっている。
【０００６】
また、前記露受具は、下端を前記熱交換器に向けて傾斜させた傾斜部と、同傾斜部の下端に連続形成され、前記熱交換器の前面に当接する当接部と、前記傾斜部の背面側に突接され、前記熱交換器の伝熱管に係止される一対の管用係止爪を備えた係止片とからなる。
【０００８】
また、前記表示器には、係止部に隣接してねじ孔が設けられ、同ねじ孔に対応する前記前面パネルには取付孔が設けられ、同取付孔を挿通したねじを前記ねじ孔に螺着することによって、前記表示器を固定するようにしている。
【０００９】
また、前記取付孔が、前記前面パネルに形成された凹部に設けられている。
【００１０】
また、前記露受具には、その前面側にリード線を保持する保持部が設けられている。
【００１２】
更に、前記係止片と前記係止爪と前記保持部とが、前記露受具と一体に形成されている。
【００１３】
【発明の実施の形態】
以下、本発明の実施の形態を、添付図面に基いた実施例として説明する。図１乃至３において、１はベース１aと、同ベース１aの前面に装着され上部に吸込グリル１cを備え、下部に表示窓cを備えた前面パネル１bとで構成される壁掛型の空気調和機本体。２は同本体１の前面上部および上面に設けられた吸込口。３は前記本体１の前面下部に設けられた吹出口。４は前記吸込口２と吹出口３とを結ぶ空気通路に設けられた熱交換器で、平行に並べられた多数のフィンとこれに直交する伝熱管aとからなり、ドレンパン６を下部に備えた略垂直部４aと、同略垂直部４aの上端を後方に傾斜させた後方傾斜部４bと、同後方傾斜部４bの後端しを下方に傾斜させた下方傾斜部４cからなる熱交換器。５は前記空気通路に設けられた送風ファン。10は前記表示窓cに臨ませて前記前面パネル１bの下部背面側に設けられたリード線11を有する表示器で、前記熱交換器４には、補助垂直部４a´、補助後方傾斜部４b´および補助下方傾斜部４c´からなる補助熱交換器が、前記略垂直部４a,前記後方傾斜部４bおよび前記下方傾斜部４cに夫々重設され、前記補助略垂直部４a´の下部にはドレン水を前記ドレンパン６に導く露受具７が設けられた構成となっている。
【００１４】
前記熱交換器４を構成する略垂直部4aの前面上部に、前記補助熱交換器を構成する補助略垂直部4a' を重設するとともに、同補助熱交換器を構成する補助略垂直部4a' の下部に前記ドレンパン６の上部に連なる露受具７を設け、同露受具７の前部に前記表示窓ｃの両側に対応する係止爪９を設ける一方、同表示窓ｃに前記表示器10を臨ませるとともに、同表示器10の両側に設けられた係止部10b に前記係止爪９を係止するようにした構成となっており、
これによって、前記表示器10を設けた前記熱交換器４を構成する略垂直部4aの前部に、前記本体１の厚さ寸法を大幅に増すことなく補助略垂直部4a' 等からなる前記補助熱交換器を付設できるようにして、熱交換能力を向上できるようにし相対的に消費電力を低減できるようにした構造となる。
【００１５】
また、前記露受具７が、図２で示すように、後端が下方に傾斜する傾斜部7aと、同傾斜部7aの下端に連続形成され、前記熱交換器４を構成する略垂直部4aの前面に当接する当接部と、前記傾斜部7aの背面側に突設され、前記熱交換器４を構成した伝熱管ａに係止する一対の管用係止爪8aを備えた係止片８とからなる構成となっており、
これによって、前記熱交換器４を構成する略垂直部4aの前面に前記当接部7bを当接させるとともに、前記伝熱管ａに前記係止片８の管用係止爪8aを係止させて、前記露受具７を前記補助熱交換器を構成する補助略垂直部4a' の下部に正確に配置できるようになり、同補助略垂直部4a' から滴下したドレン水を、前記熱交換器４を構成する略垂直部4aの前面に沿って前記ドレンパン６へ正確に導けるようにした構造となる。
【００１６】
また、前記係止片８の後部略中央に、図２で示すように、後方を開口した略Ｕ字状の切欠部8bを設けたことにより、同係止片８の後部に弾性をもたせて、前記管用係止爪8aを効果的に弾性変形させながら前記伝熱管ａに容易に係止できるようにした構成となっている。
【００１７】
また、前記表示器10の係止部10b に隣接してねじ孔10a を設ける一方、同ねじ孔10a に対応して前記前面パネル1bに取付孔ｄを設け、同取付孔ｄを挿通したねじｂを前記ねじ孔10a に螺着して前記表示器10を固定するようにした構成となっており、
これによって、上記説明のとおり、前記表示器10の係止部10b を前記係止爪９により係止した状態で、同係止爪９を備えた前記露受具７を、前記熱交換器４を構成する略垂直部4aの前面に前記当接部7bを当接させて、前記伝熱管ａに前記係止片８の管用係止爪8aを係止させるのと同時に、前記取付孔ｄを挿通した前記ねじｂを前記ねじ孔10a に螺着して前記表示器10を固定することにより、これら表示器10および露受具７を更に強固に固定できるようにした構造となる。
【００１８】
また、前記取付孔ｄが、図３で示すように、前記前面パネル1bの表面に形成された凹部に設けられたことにより、前記取付孔ｄを挿通して前記ねじ孔10a に螺着される前記ねじｂの頭部が前記前面パネル1bの表面に突出しないようにして、該箇所の意匠性を損ねることがないようにした構成となっている。
【００１９】
また、前記露受具７の前面に、図３で示すように、前記リード線11を保持する保持部12を設けたことにより、前記露受具７の前面に沿って、前記リード線11を正確に保持できるようにした構成となっている。
【００２０】
また、前記保持部12を複数設けたことにより、前記リード線11を更に正確に保持できるようにした構成となっている。
【００２１】
更に、前記係止片８と前記係止爪９と前記保持部12を、前記露受具７と一体成形することにより、寸法形状を正確に仕上げることができるとともに、コスト的に有利な構成となっている。
【００２２】
以上の構成により、図１乃至図３で示すように、前記熱交換器４を構成する略垂直部4aの前面上部に、前記補助熱交換器を構成する補助略垂直部4a' を重設するとともに、同補助熱交換器を構成する補助略垂直部4a' の下部に前記ドレンパン６の上部に連なる露受具７を設け、同露受具７の前部に前記表示窓ｃの両側に対応する係止爪９を設ける一方、同表示窓ｃに前記表示器10を臨ませるとともに、同表示器10の両側に設けられた係止部10b に前記係止爪９を係止するようにしたので、
前記表示器10を設けた前記熱交換器４を構成する略垂直部4aの前部に、前記本体１の厚さ寸法を大幅に増すことなく補助略垂直部4a' 等からなる前記補助熱交換器を付設できるようにして、熱交換能力を向上できるようにし相対的に消費電力を低減できるようにした壁掛型の空気調和機となる。
【００２３】
また、前記表示器10の係止部10b に隣接してねじ孔10a を設ける一方、同ねじ孔10a に対応して前記前面パネル1bに取付孔ｄを設け、同取付孔ｄを挿通したねじｂを前記ねじ孔10a に螺着して前記表示器10を固定するようにしたので、
前記表示器10の係止部10b を前記係止爪９により係止した状態で、同係止爪９を備えた前記露受具７を、前記熱交換器４を構成する略垂直部4aの前面に前記当接部7bを当接させて、前記伝熱管ａに前記係止片８の管用係止爪8aを係止させるのと同時に、前記取付孔ｄを挿通した前記ねじｂを前記ねじ孔10a に螺着して前記表示器10を固定することにより、これら表示器10および露受具７を更に強固に固定できるようにした壁掛型の空気調和機となる。
【００２４】
【発明の効果】
以上のように本発明によると、表示器を設けた熱交換器の前部に、本体の厚さ寸法を大幅に増すことなく補助熱交換器を付設できるようにした壁掛型の空気調和機となる。
【図面の簡単な説明】
【図１】本発明による壁掛型の空気調和機の断面図である。
【図２】本発明による壁掛型の空気調和機の要部断面図である。
【図３】本発明による壁掛型の空気調和機の要部分解斜視図である。
【図４】従来例による壁掛型の空気調和機の要部斜視図である。
【符号の説明】
１  壁掛型の空気調和機本体
1a  ベース
1b  前面パネル
1c  吸込グリル
２  吸込口
３  吹出口
４  熱交換器
4a  略垂直部
4b  後方傾斜部
4c  下方傾斜部
4a' 補助略垂直部
4b' 補助後方傾斜部
4c' 補助下方傾斜部
５  送風ファン
６  ドレンパン
７  露受具
7a  傾斜部
7b  当接部
８  係止片
8a  管用係止爪
8b  切欠部
９  係止爪
10  表示器
10a ねじ孔
10b 係止部
11  リード線
12  保持部
ａ  伝熱管
ｂ  ねじ
ｃ  表示窓
ｄ  取付孔
【図１】
0003975590.tif 000002
【図２】
0003975590.tif 000003
【図３】
0003975590.tif 000004
【図４】
0003975590.tif 000005